(57)【要約】  患者の体内、臓器、または組織に埋め込まれたマイクロデバイスを制御するための磁場を提供するための装置およびシステム。広範な動作領域にわたり十分な強度および方向特性を有する磁場を、最小限の重量および消費電力をもって提供する一方で、焦点領域へのアクセスの容易さを提供する、新規なコイル構成が開示される。また、位置および機能（治療材料の放出など）の両方において制御することができ、磁場制御システムによってエネルギーおよびデータの両方の転送を可能にする、様々なサイズのレジームのマイクロデバイスも提供される。【選択図】図２４
2021522960.tif 000002
【特許請求の範囲】
【請求項１】
マイクロスケールデバイスを遠隔制御するための電磁制御システムであって、
動作領域内で磁場を生成する第１のサブシステムであって、前記動作領域に近接するが完全に封入されない少なくとも２つの磁場生成デバイスを備え、前記磁場生成デバイスが、三次元磁気ベクトル場を生成する、該第１のサブシステムと、
前記マイクロスケールデバイスの場所を追跡するように適合された撮像システムと、
前記撮像システムから入力を受信し、前記第１のサブシステムにエネルギーを伝達し、前記磁場における前記マイクロスケールデバイスの移動を方向付けるように適合されたインターフェイスと、を備える、電磁制御システム。
【請求項２】
前記動作領域が、少なくとも０．１ｍ３の体積を有し、少なくとも１０ｃｍの最小寸法を有する、請求項１に記載の電磁制御システム。
【請求項３】
前記マイクロスケールデバイスが、
マイクロスケールロボットまたはナノスケールロボット、
医療器具、
埋め込み可能デバイス、
スマートピル、および
マイクロポンプ、からなる群から選択され、
前記マイクロスケールデバイスが、患者の体内を移動するように動作可能であり、
前記マイクロスケールデバイスが、実質的に１０−７Ｎｍ／Ｔ〜１０−４Ｎｍ／Ｔの範囲の磁気モーメントを有する、請求項１に記載の電磁制御システム。
【請求項４】
前記少なくとも２つの磁場生成デバイスが、コイルのセットを各々備え、各コイルのセットが、単一の平面内にある、請求項１に記載の電磁制御システム。
【請求項５】
各コイルの電流方向、電流振幅、および電流相が、独立して制御され、前記動作領域内の任意の点において、前記三次元磁気ベクトル場を所望の磁場強度まで生成する、請求項４に記載の電磁制御システム。
【請求項６】
各コイルが、金属コアを有する、請求項４に記載の電磁制御システム。
【請求項７】
金属ヨークが、前記コイルに隣接して位置する、請求項４に記載の電磁制御システム。
【請求項８】
前記動作領域内の所与の方向に前記磁場を生成するためのソレノイドコイルを備え、患者の身体または前記患者の臓器における対称軸と整列する、第２のサブシステムをさらに備える、請求項１に記載の電磁制御システム。
【請求項９】
前記所与の方向に従って配向され、前記動作領域内の前記対称軸と整列された強磁性シェルをさらに備える、請求項８に記載の電磁制御システム。
【請求項１０】
各コイルに接続され、
そこへ実質的に５０ボルト〜２５０ボルトの範囲の電圧を提供し、
コイル当たり０．０１ｋＷ〜２０ｋＷの範囲で、その内部のピーク消費電力を維持し、
動作領域全体にわたって１０ガウス〜１５００ガウスの範囲で連続磁場を生成する、交流または直流電源をさらに備える、請求項４に記載の電磁制御システム。
【請求項１１】
前記コイルの少なくとも１つに直列に接続された電力コンデンサバンクをさらに備える、請求項４に記載の電磁制御システム。
【請求項１２】
同時撮像および制御のために磁気共鳴撮像デバイス内に配設されるように適合され、前記コイルによって生じる磁場は、前記磁気共鳴撮像デバイスによって生成される磁場、および３Ｄ画像を調製するように適合される結果として生じる測定可能な核ラルモア周波数に影響を与える、請求項４に記載の電磁制御システム。
【請求項１３】
マイクロスケールデバイスを遠隔制御するための電磁制御システムであって、
ｘ、ｙおよびｚ軸を有する動作領域のｘ−ｙ平面内で磁場を生成する第１のサブシステムであって、前記第１のサブシステムが、前記ｚ軸の周りに配向される永久磁石のハルバッハアレイを含む、該第１のサブシステムと、
前記ｚ軸の周囲のソレノイドコイルと、
前記マイクロスケールデバイスの場所を追跡するように適合された撮像システムと、
前記撮像システムから入力を受信し、前記ソレノイドコイルにエネルギーを伝達して、前記磁場における前記マイクロスケールデバイスの移動を方向付けるように適合されたインターフェイスと、を備える、電磁制御システム。
【請求項１４】
前記永久磁石のハルバッハアレイが、円形に配置され、前記ｚ軸を中心に回転するように適合される、請求項１３に記載の電磁制御システム。
【請求項１５】
前記ソレノイドコイルが、前記永久磁石のハルバッハアレイ内にあり、それと同心である、請求項１４に記載の電磁制御システム。
【請求項１６】
前記永久磁石のハルバッハアレイを囲む強磁性シェルをさらに備える、請求項１５に記載の電磁制御システム。
【請求項１７】
前記永久磁石が、マッチンググループに配置され、各グループの磁石が、前記ｘ−ｙ平面内の磁場振幅を変調するように独立して制御される、請求項１３に記載の電磁制御システム。
【請求項１８】
前記永久磁石の多数の同心層が、前記ｘ−ｙ平面内の磁場振幅を変調および制御する、請求項１３に記載の電磁制御システム。
【請求項１９】
前記磁場が実質的に均一である患者の体内の焦点領域に従って、当該電磁制御システムに関連して前記患者の身体を支持し、移動させるように適合されたプラットフォームをさらに備える、請求項１３に記載の電磁制御システム。
【請求項２０】
患者の身体の周囲のシステムコンポーネントの自動組立のための組立モジュールを含む、請求項１３に記載の電磁制御システム。
【請求項２１】
マイクロスケールデバイスの遠隔制御のための電磁制御システムであって、少なくとも１つのＵ字形コイルを備え、前記少なくとも１つのＵ字形コイルが、単一の閉鎖電気回路を形成するためにエンドツーエンドで隣接する実質的にまっすぐな８つのセグメントを含み、
４つのセグメントの第１のセットが、相互に平行であり、その２つのサブセットが、２つの反平行電流を各々担持し、
その２つのセグメントの第２のセットが、相互に平行であり、２つの反平行電流を担持し、前記第１のセットと直交し、
その２つのセグメントの第３のセットが、相互に平行であり、２つの反平行電流を担持し、前記第１のセットおよび第２のセットと直交する、電磁制御システム。
【請求項２２】
マイクロスケールデバイスを遠隔制御するための電磁制御システムであって、
Ｕ字形コイルを含む動作領域内で磁場を生成する第１のサブシステムと、
前記マイクロスケールデバイスの場所を追跡するように適合された撮像システムと、
前記撮像システムから入力を受信し、前記Ｕ字形コイルにエネルギーを伝達し、前記磁場における前記マイクロスケールデバイスの移動を方向付けるように適合されたインターフェイスと、を備え、
前記Ｕ字形コイルが、単一の閉鎖電気回路を形成するためにエンドツーエンドで隣接する実質的にまっすぐな８つのセグメントを含み、
４つのセグメントの第１のセットが、相互に平行であり、その２つのサブセットが、２つの反平行電流を各々担持し、
その２つのセグメントの第２のセットが、相互に平行であり、２つの反平行電流を担持し、前記第１のセットと直交しており、
その２つのセグメントの第３のセットが、相互に平行であり、２つの反平行電流を担持し、前記第１のセットおよび第２のセットと直交する、電磁制御システム。
【請求項２３】
ハルバッハアレイをさらに含む、請求項２２に記載の電磁制御システム。
【請求項２４】
ヘルムホルツコイルまたはマクスウェルコイルをさらに含む、請求項２２に記載の電磁制御システム。
【請求項２５】
２セットのコイルをさらに備え、前記２セットのコイルの各々が平面構成にある、請求項２２に記載の電磁制御システム。
【請求項２６】
複数の前記Ｕ字形コイルを備える、請求項２２に記載の電磁制御システム。
【請求項２７】
前記Ｕ字形コイルが、患者の身体を少なくとも部分的に取り囲むように適合される、請求項２２に記載の電磁制御システム。
【請求項２８】
１ｎｍ〜１０ｍｍの寸法を有する少なくとも１つのマイクロスケールデバイスをさらに備え、
前記少なくとも１つのマイクロスケールデバイスが、磁気モーメントを有し、患者の身体に埋め込まれるように適合される、請求項１に記載の電磁制御システム。
【請求項２９】
１ｎｍ〜１０ｍｍの寸法を有する少なくとも１つのマイクロスケールデバイスをさらに備え、
前記少なくとも１つのマイクロスケールデバイスが、磁気モーメントを有し、患者の身体に埋め込まれるように適合される、請求項１３に記載の電磁制御システム。
【請求項３０】
１ｎｍ〜１０ｍｍの寸法を有する少なくとも１つのマイクロスケールデバイスをさらに備え、
前記少なくとも１つのマイクロスケールデバイスが、磁気モーメントを有し、患者の身体に埋め込まれるように適合される、請求項２１に記載の電磁制御システム。
【請求項３１】
１ｎｍ〜１０ｍｍの寸法を有する少なくとも１つのマイクロスケールデバイスをさらに備え、
前記少なくとも１つのマイクロスケールデバイスが、磁気モーメントを有し、患者の身体に埋め込まれるように適合される、請求項２２に記載の電磁制御システム。
【請求項３２】
前記マイクロスケールデバイスが、
マイクロスケールロボットまたはナノスケールロボット、
医療器具、
埋め込み可能デバイス、
スマートピル、および
マイクロポンプ、からなる群から選択され、
前記マイクロスケールデバイスが、前記患者の体内を移動するように動作可能であり、
前記マイクロスケールデバイスが、実質的に１０−７Ｎｍ／Ｔ〜１０−４Ｎｍ／Ｔの範囲の磁気モーメントを有する、請求項２８に記載のシステム。
【請求項３３】
前記マイクロスケールデバイスが、
マイクロスケールロボットまたはナノスケールロボット、
医療器具、
埋め込み可能デバイス、
スマートピル、および
マイクロポンプ、からなる群から選択され、
前記マイクロスケールデバイスが、前記患者の体内を移動するように動作可能であり、
前記マイクロスケールデバイスが、実質的に１０−７Ｎｍ／Ｔ〜１０−４Ｎｍ／Ｔの範囲の磁気モーメントを有する、請求項２９に記載のシステム。
【請求項３４】
前記マイクロスケールデバイスが、
マイクロスケールロボットまたはナノスケールロボット、
医療器具、
埋め込み可能デバイス、
スマートピル、および
マイクロポンプ、からなる群から選択され、
前記マイクロスケールデバイスが、前記患者の体内を移動するように動作可能であり、
前記マイクロスケールデバイスは、実質的に１０−７Ｎｍ／Ｔ〜１０−４Ｎｍ／Ｔの範囲の磁気モーメントを有する、請求項３０に記載のシステム。
【請求項３５】
前記マイクロスケールデバイスが、
マイクロスケールロボットまたはナノスケールロボット、
医療器具、
埋め込み可能デバイス、
スマートピル、および
マイクロポンプ、からなる群から選択され、
前記マイクロスケールデバイスが、前記患者の体内を移動するように動作可能であり、
前記マイクロスケールデバイスが、実質的に１０−７Ｎｍ／Ｔ〜１０−４Ｎｍ／Ｔの範囲の磁気モーメントを有する、請求項３１に記載のシステム。
【請求項３６】
前記マイクロスケールデバイスへの遠隔電力伝達のために適合され、
誘導結合コイル、
共振誘導システム、および
磁気動的回転結合システム、からなる群から選択された、前記マイクロスケールデバイス内の内部素子をさらに備え、
前記内部素子が、前記磁場生成デバイスから送信されたエネルギーを受信するように適合される、請求項２８に記載のシステム。
【請求項３７】
前記マイクロスケールデバイスへの遠隔電力伝達のために適合され、
誘導結合コイル、
共振誘導システム、および
磁気動的回転結合システム、からなる群から選択された、前記マイクロスケールデバイス内の内部素子をさらに備え、
前記内部素子が、磁場生成デバイスから送信されたエネルギーを受信するように適合される、請求項２９に記載のシステム。
【請求項３８】
前記マイクロスケールデバイスへの遠隔電力伝達のために適合され、
誘導結合コイル、
共振誘導システム、および
磁気動的回転結合システム、からなる群から選択された、前記マイクロスケールデバイス内の内部素子をさらに備え、
前記内部素子が、磁場生成デバイスから送信されたエネルギーを受信するように適合される、請求項３０に記載のシステム。
【請求項３９】
前記マイクロスケールデバイスへの遠隔電力伝達のために適合され、
誘導結合コイル、
共振誘導システム、および
磁気動的回転結合システム、からなる群から選択された、前記マイクロスケールデバイス内の内部素子をさらに備え、
前記内部素子が、磁場生成デバイスから送信されたエネルギーを受信するように適合される、請求項３１に記載のシステム。
【請求項４０】
前記患者の体内の前記マイクロスケールデバイスとのデータ通信のために適合され、前記マイクロスケールデバイス上の無線周波数識別集積回路をさらに含み、前記無線周波数識別集積回路が、前記マイクロスケールデバイスの状態に関する情報を送信するように適合される、請求項２８に記載のシステム。
【請求項４１】
前記患者の体内の前記マイクロスケールデバイスとのデータ通信のために適合され、前記マイクロスケールデバイス上の無線周波数識別集積回路をさらに含み、前記無線周波数識別集積回路が、前記マイクロスケールデバイスの状態に関する情報を送信するように適合される、請求項２９に記載のシステム。
【請求項４２】
前記患者の体内の前記マイクロスケールデバイスとのデータ通信のために適合され、前記マイクロスケールデバイス上の無線周波数識別集積回路をさらに含み、前記無線周波数識別集積回路が、前記マイクロスケールデバイスの状態に関する情報を送信するように適合される、請求項３０に記載のシステム。
【請求項４３】
前記患者の体内の前記マイクロスケールデバイスとのデータ通信のために適合され、前記マイクロスケールデバイス上の無線周波数識別集積回路をさらに含み、前記無線周波数識別集積回路が、前記マイクロスケールデバイスの状態に関する情報を送信するように適合される、請求項３１に記載のシステム。
【請求項４４】
前記患者の体内の前記マイクロスケールデバイスとのアップリンクおよびダウンリンクデータ通信のために適合され、前記マイクロスケールデバイス上の集積回路上にマイクロホールセンサをさらに備え、前記集積回路が、磁気信号からの情報を受信し、前記情報を復号化し、当該電磁制御システムに応答を送信するように適合される、請求項２８に記載のシステム。
【請求項４５】
前記患者の体内の前記マイクロスケールデバイスとのアップリンクおよびダウンリンクデータ通信のために適合され、前記マイクロスケールデバイス上の集積回路上のマイクロホールセンサをさらに備え、前記集積回路が、磁気信号からの情報を受信し、前記情報を復号化し、当該電磁制御システムに応答を送信するように適合される、請求項２９に記載のシステム。
【請求項４６】
前記患者の体内の前記マイクロスケールデバイスとのアップリンクおよびダウンリンクデータ通信のために適合され、前記マイクロスケールデバイス上の集積回路上のマイクロホールセンサをさらに備え、前記集積回路が、磁気信号からの情報を受信し、前記情報を復号化し、当該電磁制御システムに応答を送信するように適合される、請求項３０に記載のシステム。
【請求項４７】
前記患者の体内の前記マイクロスケールデバイスとのアップリンクおよびダウンリンクデータ通信のために適合され、前記マイクロスケールデバイス上の集積回路上のマイクロホールセンサをさらに備え、前記集積回路が、磁気信号からの情報を受信し、前記情報を復号化し、当該電磁制御システムに応答を送信するように適合される、請求項３１に記載のシステム。
【請求項４８】
前記マイクロスケールデバイスが、前記マイクロスケールデバイス上のそれぞれの直交軸に従って配向される３つのマイクロコンポーネントを備える磁場センサを包含する、請求項２８に記載のシステム。
【請求項４９】
前記マイクロスケールデバイスが、前記マイクロスケールデバイス上のそれぞれの直交軸に従って配向される３つのマイクロコンポーネントを備える磁場センサを包含する、請求項２９に記載のシステム。
【請求項５０】
前記マイクロスケールデバイスが、前記マイクロスケールデバイス上のそれぞれの直交軸に従って配向される３つのマイクロコンポーネントを備える磁場センサを包含する、請求項３０に記載のシステム。
【請求項５１】
前記マイクロスケールデバイスが、前記マイクロスケールデバイス上のそれぞれの直交軸に従って配向される３つのマイクロコンポーネントを備える磁場センサを包含する、請求項３１に記載のシステム。
【請求項５２】
マイクロコンポーネントが、
ホールセンサ、
コイル、
誘導結合コイル、
共振誘導システム、および
磁気動的回転結合システム、からなる群から選択される、請求項４８に記載のシステム。
【請求項５３】
マイクロコンポーネントが、
ホールセンサ、
コイル、
誘導結合コイル、
共振誘導システム、および
磁気動的回転結合システム、からなる群から選択される、請求項４９に記載のシステム。
【請求項５４】
マイクロコンポーネントが、
ホールセンサ、
コイル、
誘導結合コイル、
共振誘導システム、および
磁気動的回転結合システム、からなる群から選択される、請求項５０に記載のシステム。
【請求項５５】
マイクロコンポーネントが、
ホールセンサ、
コイル、
誘導結合コイル、
共振誘導システム、および
磁気動的回転結合システム、からなる群から選択される、請求項５１に記載のシステム。
【請求項５６】
患者の体内でマイクロスケールデバイスの移動を方向付ける方法であって、
請求項２８に記載のマイクロスケールデバイスを有する電磁制御システムを設けるステップと、
前記マイクロスケールデバイスを、前記患者の体内に挿入するステップと、
前記マイクロスケールデバイスに前記電磁制御システムによって生成された磁場を適用して、前記磁場における前記マイクロスケールデバイスの移動を方向付けるステップと、を含む方法。
【請求項５７】
患者の体内でマイクロスケールデバイスの移動を方向付ける方法であって、
請求項２９に記載のマイクロスケールデバイスを有する電磁制御システムを設けるステップと、
前記マイクロスケールデバイスを、前記患者の体内に挿入するステップと、
前記マイクロスケールデバイスに前記電磁制御システムによって生成された磁場を適用して、前記磁場における前記マイクロスケールデバイスの移動を方向付けるステップと、を含む方法。
【請求項５８】
患者の体内でマイクロスケールデバイスの移動を方向付ける方法であって、
請求項３０に記載のマイクロスケールデバイスを有する電磁制御システムを設けるステップと、
前記マイクロスケールデバイスを、前記患者の体内に挿入するステップと、
前記マイクロスケールデバイスに前記電磁制御システムによって生成された磁場を適用して、前記磁場における前記マイクロスケールデバイスの移動を方向付けるステップと、を含む方法。
【請求項５９】
患者の体内でマイクロスケールデバイスの移動を方向付ける方法であって、
請求項３１に記載のマイクロスケールデバイスを有する電磁制御システムを設けるステップと、
前記マイクロスケールデバイスを、前記患者の体内に挿入するステップと、
前記マイクロスケールデバイスに前記電磁制御システムによって生成された磁場を適用して、前記磁場における前記マイクロスケールデバイスの移動を方向付けるステップと、を含む方法。
【請求項６０】
前記電磁制御システムの前記撮像システムによって、前記マイクロスケールデバイスを前記患者の体内に位置付けるステップをさらに含む、請求項５６に記載の方法。
【請求項６１】
前記電磁制御システムの前記撮像システムによって、前記マイクロスケールデバイスを前記患者の体内に位置付けるステップをさらに含む、請求項５７に記載の方法。
【請求項６２】
撮像システムを設けるステップと、
前記撮像システムによって、前記マイクロスケールデバイスを前記患者の体内に位置付けるステップと、をさらに含む、請求項５７に記載の方法。
【請求項６３】
前記電磁制御システムの前記撮像システムによって、前記マイクロスケールデバイスを前記患者の体内に位置付けるステップをさらに含む、請求項５９に記載の方法。
【発明の詳細な説明】
【技術分野】
【０００１】
本発明は、電磁制御デバイスの分野である。
【背景技術】
【０００２】
人間体内の医療デバイス（本明細書では「内部デバイス」と示される）の遠隔制御は、治療ペイロードの送達、診断、または外科処置を含む様々な目的に有用であることができる。内部デバイスは、限定されないが、マイクロまたはナノスケールのロボット、医療器具、埋め込み可能デバイス、「スマートピル」、マイクロポンプなどを含む。内部デバイスを遠隔制御するための電磁機構は、文献および実際に周知であり、体外の電磁デバイス（本明細書では「外部デバイス」と示される）を使用して、内部デバイスの運動を制御し、内部デバイスと通信し（アップリンクおよびダウンリンク通信）、内部デバイスにエネルギーを伝達し、内部デバイスを追跡し、他の種類の機能性を提供する。
【発明の概要】
【課題を解決するための手段】
【０００３】
本発明の実施形態の目的は、軽量で可動部品をほとんどまたはまったく有さず、電力の消費がわずかであり、多様な電磁場構成を生成し、治療および／または診断機能を提供し、治療薬の送達および撮像モジュールを含む他の治療法と統合された方法で稼働し、電源、ノイズ、および温度の観点から医療安全規制を順守するようなシステムの設計に付随する課題に対処することである。本発明による実施形態は、外部制御システムを提供し、以下の種類の機能性を可能にする。
【０００４】
回転磁界、永久磁界、またはこれらの組み合わせの生成を介した内部デバイスの運動の遠隔制御であって、以下に説明するように迅速にカスタマイズおよび修正されることができる特定の磁場パラメータによる。
【０００５】
高度な３Ｄ軌道を介した推進、時間分解（高速、段階的）ストップアンドゴー運動、磁場勾配の生成を介した内部デバイスの前後運動を含むナビゲーションを含む遠隔制御であって、以下を達成するためにカスタマイズされた特定の磁場パラメータによる。
【０００６】
本明細書に開示されている内部デバイスコンポーネントの機械的作動のための任意の磁場の生成を介した内部デバイス動作の遠隔制御。
【０００７】
内部デバイスコンポーネントおよびエフェクト撮像を制御するためのそれぞれのモジュールとの統合。
【０００８】
内部デバイスの遠隔により制御されたエネルギー伝達、エネルギー貯蔵、および／または変換および推進。
【０００９】
内部デバイスからの標的治療剤の、遠隔して制御された放出。
【００１０】
標的内の標的宛先への遠隔による複合体ナビゲーション、およびそれに続く内部デバイスの一般収集ポイントへの格納。
【００１１】
内部デバイス（アップリンク／ダウンリンク）とのデータ通信。
【００１２】
内部デバイスを特定するための同時または分離電磁追跡。
【００１３】
医療撮像装置、麻酔チューブ、外科用機器へのアクセスなど、関連する医療処置で使用される補助デバイスとの互換性。
【００１４】
患者への滑らかなアクセスおよび操作上の安全性を含む、患者および医師のための処置の容易さ。
【００１５】
遠隔制御ステーションを介したデータ監視、ロギング、および制御。
【００１６】
本発明の一実施形態は、マイクロスケールデバイスを遠隔制御するための電磁制御システムを提供し、前記制御システムは、動作領域内で磁場を生成する第１のサブシステムであって、前記動作領域に近接するが完全に封入されない２つ以上の磁場生成デバイスを備え、重なり合う磁束線を生成する磁場生成デバイスが、三次元で組み合わせられた磁場ベクトルを生成する、第１のサブシステムと、マイクロスケールデバイスの場所を追跡するように適合された撮像システムと、画像システムから入力を受信し、コイルにエネルギーを伝達し、磁場内のマイクロスケールデバイスの移動を方向付けるように適合されたインターフェイスと、を含む。
【００１７】
一実施形態では、本発明は、マイクロスケールデバイスを遠隔制御するための電磁制御システムを提供し、前記制御システムは、動作領域内で磁場を生成する第１のサブシステムであって、前記動作領域に近接するが完全に封入されない２つ以上の磁場生成デバイスを備え、重なり合う磁束線を生成する磁場生成デバイスが、三次元で組み合わせられた磁場ベクトルを生成する、第１のサブシステムと、マイクロスケールデバイスの場所を追跡するように適合された撮像システムと、画像システムから入力を受信し、コイルにエネルギーを伝達し、磁場内のマイクロスケールデバイスの移動を方向付けるように適合されたインターフェイスと、を備える。
【００１８】
一実施形態では、本発明は、マイクロスケールデバイスを遠隔制御するための電磁制御システムを提供し、制御システムは、ｘ、ｙおよびｚ軸を有する動作領域のｘ−ｙ平面内で磁場を生成し、前記ｚ軸の周りに配向される永久磁石のハルバッハアレイを含む、第１のサブシステムと、ｚ軸の周囲のソレノイドコイルと、マイクロスケールデバイスの場所を追跡するように適合された撮像システムと、撮像システムから入力を受信し、コイルにエネルギーを伝達して、磁場におけるマイクロスケールデバイスの移動を方向付けるように適合されるインターフェイスと、を備える。
【００１９】
一実施形態では、本発明は、マイクロスケールデバイスを遠隔制御するための電磁制御システムを提供し、制御システムは、動作領域で磁場を生成し、Ｕ字形コイルを備える、第１のサブシステムと、マイクロスケールデバイスの場所を追跡するように適合された撮像システムと、撮像システムから入力を受信し、コイルにエネルギーを伝達して、磁場におけるマイクロスケールデバイスの移動を方向付けるように適合されたインターフェイスと、を備える。
【００２０】
一実施形態では、本発明は、本明細書に記載の電磁システムと、１ｎｍ〜１０ｍｍの寸法を有し、磁気モーメントを有し、体内に埋め込むように適合される少なくとも１つのマイクロスケールデバイスとを備えるシステムを提供する。
【００２１】
一実施形態では、本発明は、患者の体内でデバイスの移動を方向付ける方法を提供し、本明細書に記載の電磁システムと、１ｎｍ〜１０ｍｍの寸法を有し、磁気モーメントを有し、体内に埋め込むように適合される少なくとも１つのマイクロスケールデバイスとを設けることと、前記マイクロスケールデバイスに前記電磁制御システムによって生成された磁場を適用して、前記磁場における前記マイクロスケールデバイスの移動を方向付けることと、を含む。
【００２２】
本明細書における用語「患者の身体」は、検査、分析、診断、および／または治療的処置中の実体を表し、生きているか否かにかかわらず、人間の体、臓器、組織、およびその検体を含む動物の体、臓器、組織、およびその標本を含むが、これらに限定されない。
【００２３】
本願は、これらの機能を有するシステムのいくつかの実施形態を包含し、そのいくつかは、電磁機構、ならびに音響または光学機構に依存するハイブリッド外部デバイスを含む。
【図面の簡単な説明】
【００２４】
本発明とみなされる主題は、本明細書の結論部分において特に指摘され、明瞭に特許請求される。しかしながら、本発明は、構成および操作方法の両方に関して、その目的、特徴、および利点に加え、添付の図面と共に読まれる場合、以下の詳細な説明を参照することによって最もよく理解され得る。
【００２５】
【図１Ａ】本出願に記載される本発明の実施形態を例示する。
【図１Ｂ】本出願に記載される本発明の実施形態を例示する。
【図２Ａ】本出願に記載される本発明の実施形態を例示する。
【図２Ｂ】本出願に記載される本発明の実施形態を例示する。
【図３】本出願に記載される本発明の実施形態を例示する。
【図４】本出願に記載される本発明の実施形態を例示する。
【図５】本出願に記載される本発明の実施形態を例示する。
【図６Ａ】本出願に記載される本発明の実施形態を例示する。
【図６Ｂ】本出願に記載される本発明の実施形態を例示する。
【図６Ｃ】本出願に記載される本発明の実施形態を例示する。
【図６Ｄ】本出願に記載される本発明の実施形態を例示する。
【図６Ｅ】本出願に記載される本発明の実施形態を例示する。
【図６Ｆ】本出願に記載される本発明の実施形態を例示する。
【図６Ｇ】本出願に記載される本発明の実施形態を例示する。
【図６Ｈ】本出願に記載される本発明の実施形態を例示する。
【図７Ａ】本出願に記載される本発明の実施形態を例示する。
【図７Ｂ】本出願に記載される本発明の実施形態を例示する。
【図７Ｃ】本出願に記載される本発明の実施形態を例示する。
【図７Ｄ】本出願に記載される本発明の実施形態を例示する。
【図７Ｅ】本出願に記載される本発明の実施形態を例示する。
【図７Ｆ】本出願に記載される本発明の実施形態を例示する。
【図８Ａ】本出願に記載される本発明の実施形態を例示する。
【図８Ｂ】本出願に記載される本発明の実施形態を例示する。
【図８Ｃ】本出願に記載される本発明の実施形態を例示する。
【図８Ｄ】本出願に記載される本発明の実施形態を例示する。
【図８Ｅ】本出願に記載される本発明の実施形態を例示する。
【図８Ｆ】本出願に記載される本発明の実施形態を例示する。
【図９】本出願に記載される本発明の実施形態を例示する。
【図１０】本出願に記載される本発明の実施形態を例示する。
【図１１Ａ】本出願に記載される本発明の実施形態を例示する。
【図１１Ｂ】本出願に記載される本発明の実施形態を例示する。
【図１２】本出願に記載される本発明の実施形態を例示する。
【図１３】本出願に記載される本発明の実施形態を例示する。
【図１４】本出願に記載される本発明の実施形態を例示する。
【図１５】本出願に記載される本発明の実施形態を例示する。
【図１６】本出願に記載される本発明の実施形態を例示する。
【図１７】本出願に記載される本発明の実施形態を例示する。
【図１８】本出願に記載される本発明の実施形態を例示する。
【図１９】本出願に記載される本発明の実施形態を例示する。
【図２０】本出願に記載される本発明の実施形態を例示する。
【図２１】本出願に記載される本発明の実施形態を例示する。
【図２２】本出願に記載される本発明の実施形態を例示する。
【図２３】本出願に記載される本発明の実施形態を例示する。
【図２４】本出願に記載される本発明の実施形態を例示する。
【図２５】本出願に記載される本発明の実施形態を例示する。
【発明を実施するための形態】
【００２６】
以下の詳細な説明では、本発明の完全な理解を提供するために、数々の具体的な詳細が記載されている。しかしながら、当業者には、これらの具体的な詳細なしに本発明を実施することができることが理解されるであろう。他の事例では、周知の方法、手順、および／またはコンポーネントは、本発明を不明瞭にしないように詳細に説明されていない。
【００２７】
一実施形態では、本発明は、大きな作業空間に磁場を提供し、運動制御のために使用される、コイルベースのシステムである。
【００２８】
本実施形態では、コイルは、長さ最大５０ｃｍおよび直径最大１２０ｃｍの円筒形、円錐形または代替の動作領域（処理容積）において、５０ガウス〜１，５００ガウスの範囲の磁場、および典型的には最大５００ガウスの連続した絶対磁場の生成を可能にする方法で設計され、生成された磁場は、回転するか、固定されるか、パルスを発するか、任意の解析形態で時変するか、または３Ｄ空間における勾配および０．５Ｈｚ〜６０Ｈｚの間隔での典型的な回転周波数であり得る。
【００２９】
システムの動作領域は、人間または大きな動物の場合など、患者の体型に基づく。
【００３０】
本発明の一実施形態では、制御システムは、磁場振幅を変更させて、内部デバイスの（マイクロ）メカニカルコンポーネントの運動を駆動させ、均質かつ異種のマトリックスにおいて前進、後退、停止、および複雑な３Ｄ運動を生成する。
【００３１】
前述の設計は、内部デバイスの信頼性、再現性、高忠実度推進を可能にする電磁界線を生じさせる。
【００３２】
前述の設計は、磁場勾配をもたらし得る。例えば、１０〜４Ｎｍ／Ｔの磁気モーメントを有する素子を使用することによって、１ｃｍ３以上の体積全体にわたって、およそ５０ｍＴ／ｍの典型的な勾配を有する磁場を適用し、マイクロニュートンを超える典型的な力を提供することを可能にする。典型的な構成は、より簡易な磁場整流および制御のために大量の線形勾配を確保するためのマクスウェルコイルが挙げられるが、これらに限定されない。様々な実施形態では、マクスウェルコイルまたはその組み合わせは、３対のヘルムホルツコイルおよび／またはヘルムホルツコイルおよび固定磁石の組み合わせを含むセットアップの一部である。
【００３３】
前述の磁場勾配は、内部デバイスによるデバイスの場所の検知に対応するために、三次元空間の１対１の関数であることができ、１ｍＴ／ｍ以上の勾配を正確に検出する内蔵磁気勾配センサを利用し、Ｄａｂｓｃｈ，Ａ．，ｅｔ  ａｌの「ＭＥＭＳ  ｃａｎｔｉｌｅｖｅｒ  ｂａｓｅｄ  ｍａｇｎｅｔｉｃ  ｆｉｅｌｄ  ｇｒａｄｉｅｎｔ  ｓｅｎｓｏｒ」に例示されているＭＥＭＳカンチレバーデバイスを含む多様なマイクロメカニカルデバイスによって実証されるが、これに限定されない。結果として生じる位置は、以下に記載の方法を使用して外部デバイスに戻ることができ、内部デバイスの場所の追跡機構としての役割を果たす。さらに、記載された磁場勾配は、電磁界感受性材料によって媒介される治療負荷の制御放出に適用され得る。
【００３４】
本発明の実施形態では、ヘルムホルツ構成が適用される。具体的には、少なくとも１対のコイル、および典型的には３対のコイルは、電圧および電流供給に従って磁場を生成する（図１Ａ）。前述のコイルは、各コイル対が回転磁場を作り出すための極として機能するように順序付けられる。２つのコイル対は、その平面内に回転磁場を作り出し、それによって、垂直ベクトル内の線形力および運動に変換される回転運動を誘発する。３つのコイル対システムは、概して、３Ｄ空間における任意の方向を指すことができ、任意の方向における回転場の生成はまっすぐである。関連する実施形態では、前述のコイルトポロジは、操作上の開口部およびエンジニアリングの利便性に対応するための、円形、正方形、および代替幾何学形状を含む。
【００３５】
本発明の実施形態では、コイルシステムは、高伝導性金属で作られ、その非限定的な例は、銅、アルミニウム、および／またはそれらの合金を含み、それによって重量に対する高い伝導率を呈する。関連する実施形態は、カーボンナノチューブ（ＣＮＴ）ワイヤ、銀、および金を利用する。コイルは、典型的には、エポキシ接着剤、シリコーンなどによって例示される樹脂を使用して共に保持される多数のワイヤで作られる。前記のワイヤは、短絡を防止するために絶縁または積層される。典型的なシステムは、１００Ｋｇ〜５００Ｋｇであり、その重量のほとんどが金属コイルおよびコイルの輪郭／トポロジー成分にある。
【００３６】
様々な実施形態では、機械的構造は、磁場に起因する重力およびそれらの間に与える力に耐えるために、特定の３Ｄトポロジー構成でコイルを留め付ける。構造的コンポーネントは、アルミニウムなどの非強磁性金属のコンポーネントであるが、関連する実施形態では、一部または全体の高密度プラスチック、セラミック、炭素繊維複合材料などである。
【００３７】
特定の実施形態では、システムは、過熱を防止し、ワイヤ内のより高い電流密度が標的動作磁場を増加させることを可能にするために冷却される。冷却は、蒸留水、グリコール、誘電性流体（フッ素、ＰＡＯ）を含むがこれらに限定されない熱伝導性液体によって、コイルのワイヤの中に、周囲に、またはそれらの間にそれらを流して放熱を除去することによって行われる。関連する実施形態では、冷却は、ワイヤの中に、周囲に、またはそれらの間に空気または他のガス流を生成することによって行われる。特定の実施形態では、冷却ダクトは、ワイヤの周囲の自由体積であり、対流を介したより良好な熱伝導および分散のためのリブ状の幾何学形状を有する（図１Ｂ）。いくつかの実施形態では、ワイヤ、ダクト、または前述のエポキシ樹脂などの他の材料は、熱グリースまたは同様の熱結合材料を介して、ヒートシンク材料と熱連通する。結果としてダクトの外部表面に生じる温度は、通常、安全要件および規制を満たすために４０℃以下である。
【００３８】
システムの典型的なサイズは、作成された開口を通した患者またはベッドに横たわっている患者の導入に対応するように、直径４０ｃｍ〜６０ｃｍ有する最小セットのコイルを含む。より大きなコイル対の典型的な直径は、８０ｃｍ〜１２０ｃｍであり、ここで寸法は、周囲の冷却ダクトを含むコイルサイズを指す。結果として得られた重量で特定されたサイズは、病室または臨床空間内への輸送および設置を容易にする。
【００３９】
様々な実施形態では、コイル平面は、地面または重力ベクトルに垂直または平行であり、関連する実施形態では、システムは、重力の方向に対して角度をもって設定され、それによって、患者の身体断面の長い寸法に対してより収容可能な開口を提供する。
【００４０】
前述のコイル構成への電力供給は、典型的には、インバータ、コンバータ、または整流器によって提供され、５０Ｖ〜１００Ｖの特性値を有する様々なレベルの交流（ＡＣ）または直流（ＤＣ）電流を供給し、ピーク消費時にコイル当たり５ｋＷ〜７ｋＷの特性電力を消費すると同時に、コイル間の中心体積において約５００ガウスの磁場を生成する。電源は、電気的要件を考慮するように、追加のコンデンサを含んでもよく、または含まなくてもよい。好ましい実施形態では、電源コンデンサバンクは、コイルの一部またはすべてに直列に接続され、共振を使用して所望の周波数を通過させる。コンデンサバンクは、その有効キャパシタンスを変化させるように変動する。特性入力電気周波数は、０Ｈｚ〜５０Ｈｚであり、内部デバイスの運動と同期している。しかしながら、場合によっては、より高い周波数を使用することができ、例えば１００Ｈｚを使用して、さらなる機械的運動を誘導し、および／または高いスリップ（電気回転速度と機械回転速度との間の相違）で移動させる。電源は、所望の磁場、回転速度、または勾配のために必要な電流を計算するように、以前のデータを使用するコンピュータシステムによって制御される。
【００４１】
本発明の実施形態では、デバイスは、磁気出力の較正、リアルタイム補正および検証のために、単一または多数の磁場センサと組み合わせて使用される。センサは、電気部品に対する制御を提供するように、別個に設定することができるか、または前述のコンピュータシステムに接続することができる。
【００４２】
重量を制限するため、動作容積により良い較正された磁場を提供するため、または特定の設計上の考慮事項に対応するため、追加の実施形態は、代替のコイル構成を利用する。非限定的な例では、構造的くぼみが３Ｄセットアップに追加され、より小さな外部コイルの形態因子を可能にする。前述のくぼみは、外部ダクトを考慮した場合のコイル幅に比例した曲率半径を示す（図２Ｂ、図３）。くぼみは、例えば２０ｃｍ×２０ｃｍ×２０ｃｍの体積にわたる中央磁場強度の最大５％の均一性などの、患者の体内の堅固な運動制御に十分である、中央体積中の磁場の均一性を許容可能なレベルまで維持するように制限される。
【００４３】
代替の実施形態では、コイルは絡み合い、コイル間のより大きな交点を作り出す。この場合、３つのコイル対構成の６つのコイルはすべて同じ直径を有する（図２Ａ、図２Ｂを参照）。別の代替の実施形態では、６つのコイルのうち４つのみが同じ直径を有する（図３を参照）。この場合、冷却ダクトは、コイル間で（単一の接続体積）共有することができる。
【００４４】
本発明の実施形態は、単純な組み立ておよび分解を可能にする留め具（ボルトなど）と接続された多数のモジュール部品のセットからのデバイスの組み立てを提供する。関連する実施形態では、コイルは組み立て後に移動しない。他の実施形態では、患者および／または患者のベッドを基準にしたコイルの向きは、方位角、傾斜、またはその両方における１または２自由度を可能にするジンバルベアリング上でコイルを動かすことによって調整される。代替的には、患者のベッドを同様の方法でジンバリングして、コイルシステムに対する患者の向きの変更を可能にすることができる。
【００４５】
いくつかの構成では、コイルのいくつかは、ヒンジに接続され、これにより、患者がそれらの間の中央操作体積に容易に挿入されることを可能にするような方法でコイルを移動させることが可能になる。
【００４６】
他の実施形態は、患者の身体の有無にかかわらず、内側に押し込んで、ホイールまたはその他の部分を折り畳むかまたはトラックに嵌合させることによって中央の操作領域に挿入され、さもなければ患者の身体を動かす必要がないようにするベッドを含む。さらなる実施形態では、ベッドおよび電磁デバイスは、外部撮像システムおよび電磁デバイスに接続され得る中央制御システムによって制御される機械的マニピュレータまたはモータを使用して、３Ｄで互いに関連して任意に移動可能である。特定の実施形態では、電磁デバイスは、電磁デバイスによって生成される電界が十分に強い患者の体内の特定の単位体積（「焦点領域」）において、患者の体内の内部デバイスの運動を制御する。内部デバイスが移動するにつれて、内部デバイスは焦点領域の外側に移動し得る。したがって、撮像システム（例えば、超音波、Ｘ線、または他の撮像様式）を使用して内部デバイスを撮像し、次いで、焦点領域が内部デバイスの移動中の場所に従うように、患者の身体に関連して電磁デバイスの場所を調整する必要がある。このプロセス全体を通して、電磁デバイスによって生成される信号は、組織を介した内部デバイスの適切な移動を保証するように連続的に制御される。
【００４７】
特定の実施形態は、本明細書に記載のヘルムホルツコイルに加えて、より均一な磁場または磁場勾配を作り出すために、マクスウェルコイルなどの他のコイルを設ける。関連する実施形態では、多数のコイル対は、それらのうちのいくつかが任意の所与の瞬間に活性であり、磁場の所望の空間分布を作り出すように使用される。コイルは、患者のベッドの周囲に位置付けられ、特定の生物学的マトリックス、組織、または器官における特定の軌跡に続く治療用粒子の送達を含むがこれらに限定されない特定の操作ニーズに対応するようなモジュール式である。関連する実施形態は、強磁性コアを使用して、生成された磁場を患者の身体により近い点に導き、焦点を合わせる。
【００４８】
特定の実施形態は、低温超伝導材料を利用して、より高い磁束密度およびより強い磁場を提供する。このような超電導体は、典型的には、１テスラ程度のピーク磁場、ならびに液体窒素または液体ヘリウム冷却と連動する。
【００４９】
前述の実施形態はまた、およそＫＨｚ以上の高周波場を含み、マトリックス、組織、または器官の局所粘度特性を非対称に変更することによって、または材料特性を変更して、抵抗の少ない運動を可能にすることによって、粒子加熱および温熱様効果を誘導し、強化された推進力を誘導する。
【００５０】
特定の実施形態では、単一の細いコイルのみを使用して、人体対称軸（ｚ軸として定義される）に平行な磁場成分を生成する（図４）。これは、磁場の強度が中央領域（焦点領域として定義）で最大であるため、合理的である。焦点ポイントに可動の内部デバイスが存在する場合、ｚ軸に沿って移動するにつれ、内部デバイスの運動を追うためにｚ軸に沿って焦点ポイントを移動させる必要がある場合がある。関連する実施形態では、このことは、患者または電磁デバイスをこの軸に沿って互いに関連してシフトさせることによって実施される。２つの大きなコイルの代わりに、ｚ軸に単一の細いコイルを使用することで、システムの重量、冷却、および電力要件を最小限に抑えることが可能になる。
【００５１】
特定の実施形態では、標準的なヘルムホルツ／マクスウェルコイルの代わりに、またはそれに加えて、もしくはｚ軸の単一の細いコイルに加えて、ｘ軸、ｙ軸、またはｚ軸において焦点磁気ビームを使用して、システムの重量を最小限に抑えながら、患者の体内の小さな焦点領域のみで強い磁場を生成する（図５）。
【００５２】
特定の実施形態では、他の磁場焦点合わせ構造体を、電磁デバイスと患者の身体との間に位置させ、内部デバイスが患者の体内に配置されるターゲット焦点領域に向かって磁場線を焦点する。磁場焦点合わせ構造は、患者の体に向けられた細い先端を有するフェライト円錐または台形構造、ならびに他の材料およびトポロジーが挙げられるが、これらに限定されない。
【００５３】
別の実施形態は、コイルベースのシステムを提供し、電磁的手段を使用して、内部デバイスへの遠隔電力伝達を可能にする。関連する実施形態は、本明細書に記載されるような誘導運動能力に加えて、ナノまたはマイクロロボットもしくはインプラントなどの内部デバイスへの遠隔電力伝達のためのコイルシステムを提供する。これらの実施形態は、誘導結合コイルシステム、共鳴誘導システム、磁気動的回転結合システムなどの内部要素と連動して稼働する。内部素子は、生成された磁場介して外部コイルシステムによって、磁場の変化（準静的、非放射的）によって、または無線周波数出射放射を通して、伝送されるエネルギーを受ける。
【００５４】
コイルは、内部デバイスによって捕捉されるエネルギーを伝送するために、ＭＨｚ〜ＧＨｚ周波数の様々な磁場を印加する。他の実施形態では、最大１００Ｈｚの周波数を有する回転磁場が適用され、電気エネルギー、推進、またはエネルギー貯蔵に変換される機械的運動を誘導する。
【００５５】
追加の実施形態は、前述の低周波、中間周波数、および高周波、ならびに記載された磁場を調節することを提供する。これは、一般に、インピーダンスマッチングを提供する追加の電源電子コンポーネント（コンデンサ、コイル、またはトランジスタスイッチなど）と組み合わせて使用される。関連する実施形態では、エネルギー伝達は、動作中にコイルを使用するときに、連続的であるか、一気にであるか、または一定期間にわたって半連続的である。いくつかの実施形態では、該構成は、前述の構成と同一であるか、またはコイルおよび／または永久磁石の追加のセットに基づく。関連する実施形態では、エネルギー伝達は、温熱療法様作用を誘導し、電熱作用を利用して電圧を誘導することにより、磁気ナノ粒子（ＭＮＰ）などのコンポーネントを加熱することを介して達成される。
【００５６】
別の実施形態は、電磁的手段を使用して内部デバイスとのアップリンク／ダウンリンク通信を有するコイルベースのシステムを提供する。このコイルベースのシステムは、磁気誘導推進および／または磁気エネルギー伝達に加えてデータ伝達を提供するか、または内部デバイスとの通信のために別個に使用され得る。この機能性に対応するために、内部デバイスは、情報転送のための受信コンポーネントおよび／または送信コンポーネントを具備する。非限定的な例では、内部デバイスは、患者の体内の運動の間にデータを収集し、デバイス位置を報告し、および／またはデバイス状態についてフィードバックを提供する無線周波数識別集積回路（ＲＦＩＤ  ＩＣ）を有する。外部信号によって命令されると、装置は治療物質を放出し、機械的運動、加熱、または自己破壊を行うことができる。デジタルおよび／またはアナログＲＦベースのプロトコルを使用することができる。
【００５７】
様々な実施形態によれば、情報を送信することは、本明細書に先に説明したものと同じコイル構成を介して、または追加のコイルもしくは固定磁石によって達成される。また、上述の推進から切り離されたスタンドアロン方式で、または同じ磁場信号で送信される追加情報を変調することによって使用されることもできる。情報伝達は、ナノ／マイクロロボット、スマートピル、インプラント、マイクロインプラント、カテーテル、およびその他の画像または治療機器と直接使用される。すべてのデバイスは、別々に動作し、および／またはナノ／マイクロロボットと並行して動作する。
【００５８】
本明細書に記載される磁気システムの目標は、患者の身体（動作領域として定義される）内の任意の点で磁場を生成すると同時に、適用可能な撮像デバイス（超音波、Ｘ線など）を使用して、患者のバイタルサインを監視し、体内のデバイスを追跡するために、処置中に患者の身体に容易にアクセスすることを可能にすることである。同時に、システムは実用的な冷却ソリューションを提供し、重量と消費電力の制限に準拠する。大柄な男性患者のサイズを想定すると、動作領域は５０ｃｍ×５０ｃｍ×５０ｃｍ以上であってもよい。
【００５９】
本発明の実施形態によるシステムは、重量−電力−アクセス−サイズ−冷却要件を満たすが、一方で従来のコイルベースのシステム（例えば、患者の身体を囲む３対の直交ヘルムホルツコイルを使用する）は、高温になり過剰な熱を放散し、広範囲の冷却を必要とする。さらに、従来のシステムは非常に重い（重量は１トン以上）。参考のために、市販のＭＲＩシステムは、しばしば液体窒素冷却を必要とし、また、トン以上と同程度の重量も必要とし、それらを、１階を上回る任意の場所か、または補強構造を必要とする標準的な建物の場所に設置するための能力が著しく制限される。本発明の実施形態によるシステムは、数百キログラム以下の単一の重量で提言された重量を有し、実用的な解決策のために理想的である。
【実施例】
【００６０】
拡張現実テーブル
【００６１】
本実施形態は、コイルによって生成される磁場の線が、コイルの外側に延在する閉ループを形成するという事実を利用する。したがって、本システムは、動作領域の近くに位置するが、動作領域を包囲していない２つ以上のコイルで構成される。コイルは、動作領域のサブセクションと直交する。異なるコイルの磁束線は、重ね合わせの原理に基づいて組み合わされた磁場ベクトルを生成し、より強力またはより良好に制御された磁場ベクトルを有する動作領域内に焦点領域（または多数の焦点領域）を効果的に作成する。コイル内の電流を独立して制御することにより、回転場、電界勾配、他の時間変動パルスの生成を含む、動作領域の多様な場所で生成される磁場を任意に制御することが可能である。図６Ａ、図６Ｂは、平行なコイル１０個が、平面間に配置される動作領域と直交する２平面（各平面に５つのコイル）に位置するようなセットアップの例の図を示す。このセットアップを変更することは、例えば、さらなるコイルを追加すること、動作領域を基準としてコイルの各平面の向きを変更すること、またはコイルを非平面構成に配置すること（例えば、動作領域に同心円状に面すること）によって可能である。さらに、コイルの内部にコアを追加して、磁場を増大させること（図７Ａ、図７Ｂの例）、またはコイルの外部にヨークを追加して、磁場を再度増大させること（図８Ａ、図８Ｂの例）も可能である。コイル、コア、およびヨークの構成は、磁場分布をより良好に制御するために、空間で変更することができる。この設定では、図６Ｂで特定された変数ｄ、ｅｐｓ、Ｄ、Ｓを定義する。
【００６２】
Ｓ＝１００ｍｍ、ｅｐｓ＝０．５の場合、図６Ｃ、図６Ｄ、図６Ｅ、図６Ｆは、有限要素シミュレーションの結果を示し、コイルの一部をシャットダウンし、異なる方向に異なるレベルの電流を印加することを含む、コイルの各々を独立して制御することによって、操作領域の中央の焦点で任意の３Ｄ方向に目的の磁場ベクトルを正確に生成する能力が実証されている。
【００６３】
図６Ｇ、図６Ｈは、パラメータ（変数）Ｓを２００（より良好な拡散コイル）に増加させることにより、磁場の大きさを＞２５％まで増加させることが可能であることを示す。
【００６４】
図７Ｃ、図７Ｄ、図７Ｅ、図７Ｆは、ＳＡＥ１０１０スチールコアの追加を使用して、磁場を４〜５倍増幅する能力を示す。
【００６５】
図８Ｃ、図８Ｄは、コアに加えて半径（Ｓ＋Ｄ）１０ｍｍのＳＡＥ１０１０スチールヨークを追加することを使用して、磁場を約３０％増加させる能力を示す（図８Ｄを図７Ｄと比較する）。
【００６６】
図８Ｅ、図８Ｆは、パラメータ（変数）Ｓ＝２００ｍｍ、より高い電流、ヨークおよびコアを有するシステムを有する焦点領域における１００ガウスのフィールドを実証する。
【００６７】
後者の副次的に最適な構成は、動作領域の様々なエリアで制御可能な任意の磁場ベクトルの生成を可能にしながら、２４ｋＷの熱を生成し、市販のコンパクトな水冷を可能にする。さらに、このようなシステムは重量効率が高く、特定の重量の最適化なしに重量約２５０ｋｇを有し、上記の制限に照らして医療現場の実用的なソリューションとなる。
【００６８】
また、このシステムでは、内部デバイスの遠隔電力伝達、通信、または推進のために必要に応じて、任意の方向／振幅の制御可能な磁場を生成することが可能である。
【００６９】
複合ハルバッハコイルシステム
【００７０】
２つのサブシステムが存在し、第１のものは、ｘ−ｙ平面に磁場を生成し、第２のものは、ｚ方向に磁場を生成する。
【００７１】
第１のサブシステムは、同一の円形のロッド様永久磁石の２つの分散型ハルバッハアレイ（ｚ軸の周囲）で構成される。第２のサブシステムは、上記の永久磁石アレイを包むＺ軸の周囲に巻かれたソレノイドコイルである。
【００７２】
両方のサブシステムは、薄い円筒形（ｚ軸の周囲）強磁性シェルによってさらに増強され得る。
【００７３】
上記の第１のシステムに組み込まれた磁石は、それらの軸を中心に同期的に回転するように構成される。
【００７４】
ロッド様の永久磁石の数およびそれらのサイズは、フィールド強度またはシステムサイズを変更するために調整されることができる。
【００７５】
磁石はロッド様である必要はなく、必要に応じて異なる幾何学形状を有していてもよい。
【００７６】
このようなロッド様磁石の多数の同心円層は、システム内に置かれて（ロッドの１つの層が別の層上にある）、振幅をより大きく制御し、より均一なフィールドを生成して、さらに強いフィールドを生成することができる。
【００７７】
図面は、４８個のロッド様磁石の単一層について、そのようなシステムの代表例を示す。
【００７８】
ｘ−ｙ平面に磁場を生成するサブシステム
【００７９】
図９は、ヨークの役割を果たす薄い強磁性シェルに囲まれた４８個の環状に分散され、半径方向に磁化された同一の永久磁石ロッドの単層アレイとして実装されるサブシステムの非限定的な例を示す。各ロッドは、その軸を中心に回転するように構成されている（例えば、小さなステッピングモータによって駆動される）。磁石は、対でグループ化される（図１０）。
【００８０】
最大磁場を生成するために、結合された磁石は同方向に配向され（図１１Ａ）、ゼロフィールドを生成するために、それらは逆方向に配向される（図１１Ｂ）。カップルの平均磁化ベクトルは、ハルバッハアプローチごとに分布する。
【００８１】
図１２は、最大Ｙ方向磁場を生成する磁石の方位を示す。
【００８２】
図１３は、より小さな規模のｙ方向磁場を生成するための磁石配向の例を示す。各カップル内のロッドは、公称方向に対して傾斜している。ｘ−ｙ平面内の磁場を、一定の回転速度、例えば２０Ｈｚで回転させるために、すべてのロッドを、例えば、直接駆動ステッピングモータを使用することによって容易に実施される角速度２０Ｈｚ＝１，２００ｒｐｍで回転させる。ロッドは、個別に駆動されてもよく、または（例えば、ベルトによって）共に機械的に接続されてもよい。
【００８３】
図１４は、本発明の実施形態によるシステム全体を示し、図９に示される第１のサブシステムおよび同心ソレノイドに基づく第２のサブシステムを含む。ｚ磁場を強化するために、強磁性のシェル様ヨークを使用する。このシステムでは、ｚ軸コイル内の電流は、必要に応じて変調され、広い周波数範囲（Ｈｚ〜ＧＨｚ）で固定フィールド、勾配、または任意の他の時間変動パルスを生成する。これにより、前述された要件ごとに、遠隔電力伝達または内部デバイスとの通信のために、ｚ軸を使用することが可能になる。
【００８４】
目的は、内部デバイス内のセンサ機構と、ｚ軸フィールドコンポーネントとの適切な空間アライメントを確保することである。例えば、このようなコンポーネントは、磁束の変化をピックアップし、それらを（エネルギー変換のために）電圧に変換するためのマイクロホールセンサ（通信センサ）またはマイクロコイルであり得る。このマイクロコンポーネントがｚ軸と直交している場合、ｚ軸コイルによって送信された信号は検出されない。したがって、関連する実施形態によれば、３つのそのようなマイクロコンポーネント（例えば、ホールセンサまたはマイクロコイル）は、内部デバイス内で互いに直交して置かれ、内部デバイス内の信号統合／合計回路に接続される。したがって、磁場のｚ成分に対する内部デバイスの向きに関わらず、ｚ成分全体が、その上のｚ成分の各投影に従って、３つのマイクロコンポーネントによって集合的にピックアップされる。その後、すべてのマイクロコンポーネントの相互作用は、内部デバイスによって、さらなる処理のために、損失なしに集約される。
【００８５】
図１５は、動作領域の直径６００ｍｍの開口部を有するシミュレートされたシステムであり、長さは２００ｍｍである。直径２１ｍｍの磁石ロッドは、グレードＮ５０Ｍ製である。ヨークシェルは、３ｍｍの１０２０スチール製である。コイルは、充填係数０．４５のＡｌワイヤで巻かれている。ロッドをグループ化して最大規模を生成するように配向するときの作業体積内のシミュレートされたベクトル場（図１２に示すように）を、図１６に示す。
【００８６】
図１７は、作業体積と座標のフィールド振幅の依存関係を示す。
【００８７】
最終的な特徴と結論
【００８８】
作業体積内のコイルからファイルされたシミュレーションの結果を図１８に示す。
【００８９】
図１９は、３つの座標軸ｘｙｚに対する規模分布を示す。
【００９０】
図９から図１９までのシステムは、以下の特性を有する。
【００９１】
【表１】
2021522960.tif 000003
【００９２】
これらの特性は、市販の水冷システムの使用を再度可能にし、システムの寸法および重量は、通常のオフィス内での設置を可能にし、これを臨床環境で有効なソリューションとさせ、前述の制限に準拠する。
【００９３】
Ｕ字形コイルシステム
【００９４】
図２０〜図２２は、本明細書でＵ字形コイルシステムとして表されるものを例示する。人間サイズの臨床システムの特定の重量、サイズ、および電力要件に準拠するために、標準的なヘルムホルツコイルアプローチ（３対の直交コイル）は、より少ない空間を占有し、より少ない熱を生成すると同時に、患者への良好なアクセスを提供し、患者の体内の焦点領域で十分に強い磁場を生成するように変更されなければならない。本発明の特定の実施形態によれば、１つ、２つ、または３つのヘルムホルツコイル対が、図２０に概略的に示され、以下に説明されるように、特殊形状のコイル（本明細書ではＵ字形コイルとして示される）によって置き換えられる。本発明のこれらの実施形態によるＵ字形コイルは、図２０のｚ軸方向の磁場を最大化する。図２０は、Ｕ字形コイルが、単一の閉鎖電気回路を形成するためにエンドツーエンドに隣接する実質的にまっすぐな８つのセグメントを含むことを示す。
【００９５】
その４つのセグメントの第１のセットは、（ｚ軸において）相互に平行であり、その２つのサブセットは、２つの反平行電流を各々担持する。
【００９６】
その２つのセグメントの第２のセットは、（ｘ軸において）相互に平行であり、２つの反平行電流を担持し、前記第１のセットと直交する。
【００９７】
その２つのセグメントの第３のセットは、（ｙ軸において）相互に平行であり、２つの反平行電流を担持し、第１のセットおよび第２のセットと直交する。
【００９８】
Ｕ字形コイルは、通常のコイルのものと同様の方法で、多重回転巻線を含むことができることが理解される。
【００９９】
図２１は、代表的な実施形態における人間サイズのＵ字形コイルの寸法を示す。図２２は、特定の焦点面におけるｚ軸（図２０に定義される）に沿った高い磁場安定性を実証するＦＥＡシミュレーションの結果を示す。
【０１００】
そのようなシステムの利点は、人間の患者に適した動作領域において強力な磁場を生成する能力であり、一方でシステム全体はよりコンパクトであり、重量が少なく、より少ない熱を生成する。図２３は、このようなセットアップの例を示し、Ｕ字形コイルは、ヘルムホルツコイルの対よりもはるかに少ないスペースを取り（参照のために図２Ａ、図２Ｂ、３を参照）、患者の身体の周りに収まっている。
【０１０１】
図２３に示されるように、異なるコイルおよびシステムコンポーネントは、患者がベッド上に位置付けられた後に（患者が事前に組み立てられたシステム内に摺動する代わりに）自動的にその位置に摺動することによって、患者の身体の周りで動作する前に組み立てる必要がある場合がある。図２３の構成では、一対のヘルムホルツコイル（例えば、図１Ａ）は、単一のＵ字形コイルによって置き換えられる。関連する実施形態では、一対のヘルムホルツコイルは、患者の身体の周囲の単一のコイルによって置き換えられ、患者の対称軸に沿ったシステムに対する患者の身体位置のシフト、そしてひいては患者の体内の焦点領域のシフトを可能にする。したがって、この構成は、Ｕ字形コイル、単一の丸いソレノイドコイル（患者の身体の周囲）、およびヘルムホルツコイル（患者の身体の上下）のペアの３種類のコイルを有する。
【０１０２】
該設計は、システム内の他のコイルのためにさらに利用されることができる。図２４は、３つのヘルムホルツコイル対のうちの２つがＵ字形コイルに置き換えられ、重量、サイズ、および発熱のさらなる減少を可能にする別の実施形態を示す。
【０１０３】
さらなる実施形態は、患者の身体の周囲に適するようにコイル形状を変更することを提供し、半円形形状、または患者の身体を（上述の実施形態のように、三辺の代わりに）四辺に囲む形状の使用を含む他のトポロジーを提供する。いくつかのそのような形状および電流の方向の非限定的な例を図２５に示す。
【０１０４】
図面に例示されるコイルベースのシステムの別の実施形態は、上述し、図面に図示されるように、遠隔運動制御／遠隔電力伝達／アップリンクおよびダウンリンク通信、またはこれらの任意の組み合わせに加えて、動作領域の磁気共鳴撮像（ＭＲＩ撮像）を提供する。
【０１０５】
関連する実施形態は、代替の強磁場勾配を導入し、結果として生じる測定可能な核ラーモア周波数を監視して、それらを異なる材料の３Ｄ画像にして分析することによって、撮像のためのＮＭＲ効果をさらに利用する。別の関連する実施形態は、追加の強力な永久磁石を含み、前述したようにコイルシステムを使用して、必要な摂動を作成する。代替の実施形態では、コイルシステムは、強い磁場および必要な動揺を誘導する。さらなる実施形態は、結果として生じる画像のアライメントを可能にするために、参照のための追加のマーカと併せて使用される。いくつかの実施形態では、コイルシステムは、既存のＭＲＩデバイスに組み込まれ、永久磁石または超伝導コイルのそのインフラストラクチャを使用する。
【０１０６】
別の実施形態は、機能性（例えば、上述され、図面に図示されている実施形態）の一部のみのための電磁機構を含むハイブリッドシステムを備えると同時に、他の機能性が、他の機構（超音波、光学など）を使用して提供される。
【０１０７】
さらなる実施形態では、コイルシステムは、推進、撮像、通信、および安全の多数の代替手段を増強、改善、または可能にするための増設モジュールとして使用される。関連する実施形態は、スレッドデバイスと共に使用され、スレッドは、データ転送、電力転送、内部デバイスを位置付ける手段として、安全性を延長する手段として、またはこれらの組み合わせとして使用される。他の実施形態では、コイルシステムは、上記の特徴を提供するために使用され、一方で、動力伝達または推進誘導の一部または全部、例えばマイクロキャビテーション誘導運動、またはマイクロプロペラを使用した機械的運動などは、超音波デバイスを介して実行される。
【０１０８】
他の通信手段を、上述のデバイス、例えば超音波通信、光通信と平行して、それらに加えて、またはそれらの代わりに使用することができ、具体的には、いくつかのＮＩＲ周波数、スレッド通信などの、水および脂質中での吸収が低い波長を利用することができる。
【図１Ａ】
2021522960.tif 000004
【図１Ｂ】
2021522960.tif 000005
【図２Ａ】
2021522960.tif 000006
【図２Ｂ】
2021522960.tif 000007
【図３】
2021522960.tif 000008
【図４】
2021522960.tif 000009
【図５】
2021522960.tif 000010
【図６Ａ】
2021522960.tif 000011
【図６Ｂ】
2021522960.tif 000012
【図６Ｃ】
2021522960.tif 000013
【図６Ｄ】
2021522960.tif 000014
【図６Ｅ】
2021522960.tif 000015
【図６Ｆ】
2021522960.tif 000016
【図６Ｇ】
2021522960.tif 000017
【図６Ｈ】
2021522960.tif 000018
【図７Ａ】
2021522960.tif 000019
【図７Ｂ】
2021522960.tif 000020
【図７Ｃ】
2021522960.tif 000021
【図７Ｄ】
2021522960.tif 000022
【図７Ｅ】
2021522960.tif 000023
【図７Ｆ】
2021522960.tif 000024
【図８Ａ】
2021522960.tif 000025
【図８Ｂ】
2021522960.tif 000026
【図８Ｃ】
2021522960.tif 000027
【図８Ｄ】
2021522960.tif 000028
【図８Ｅ】
2021522960.tif 000029
【図８Ｆ】
2021522960.tif 000030
【図９】
2021522960.tif 000031
【図１０】
2021522960.tif 000032
【図１１Ａ】
2021522960.tif 000033
【図１１Ｂ】
2021522960.tif 000034
【図１２】
2021522960.tif 000035
【図１３】
2021522960.tif 000036
【図１４】
2021522960.tif 000037
【図１５】
2021522960.tif 000038
【図１６】
2021522960.tif 000039
【図１７】
2021522960.tif 000040
【図１８】
2021522960.tif 000041
【図１９】
2021522960.tif 000042
【図２０】
2021522960.tif 000043
【図２１】
2021522960.tif 000044
【図２２】
2021522960.tif 000045
【図２３】
2021522960.tif 000046
【図２４】
2021522960.tif 000047
【図２５】
2021522960.tif 000048
【国際調査報告】
2021522960.tif 000049